(57)【要約】【課題】異なる入力方法で特定日を容易に入力でき、異なる入力方法で入力された特定日が重なる場合でも要求度合いの高い特定日を優先できる照明制御装置11を提供する。【解決手段】入力部20で、照明負荷の制御内容を指定する基本スケジュール、月日を指定する第１の特定日、月と第何曜日とを指定する第２の特定日、各特定日での照明負荷の制御内容を指定する特定日スケジュールを入力する。月日を指定する第１の特定日と、月と第何曜日とを指定する第２の特定日との２通りの入力方法を選択可能とし、特定日の特定日スケジュールを容易に入力する。制御局12は、基本スケジュールとこの基本スケジュールより優先させる特定日スケジュールとに従って照明負荷を制御する。第１の特定日と第２の特定日が競合した場合には、要求度合いの高い月日を直接指定している第１の特定日の特定日スケジュールを優先させる。【選択図】図１
2007257946.tif 000002
【特許請求の範囲】
【請求項１】
照明負荷の制御内容を指定する基本スケジュール、月日を指定する第１の特定日、月と第何曜日とを指定する第２の特定日、各特定日での照明負荷の制御内容を指定する特定日スケジュールを入力する入力部と；
基本スケジュールとこの基本スケジュールより優先させる特定日スケジュールとに従って照明負荷を制御し、第１の特定日と第２の特定日が競合する場合には第１の特定日の特定日スケジュールを優先する制御部と；
を具備していることを特徴とする照明制御装置。
【請求項２】
第１の特定日の特定日スケジュールと第２の特定日を月日に変換した特定日スケジュールとを出力する出力部を具備している
ことを特徴とする請求項１記載の照明制御装置。
【発明の詳細な説明】
【技術分野】
【０００１】
本発明は、スケジュールに従って照明負荷を制御する照明制御装置に関する。
【背景技術】
【０００２】
従来、例えば、オフィスビルや各種施設などでは、各フロアや各エリアなどの照明エリア毎に設置される照明器具などの照明負荷を遠隔制御する照明制御装置が採用されている。
【０００３】
この照明制御装置では、１つの制御局と複数の子局とが無線ネットワークを通じて通信し、制御局からの制御で各子局が備えた照明負荷を制御している（例えば、特許文献１参照。）。
【０００４】
また、子局では複数の照明負荷を複数のグループに分けて管理し、制御局ではグループ毎に照明負荷を制御している。
【０００５】
このような照明制御装置では、就業日や就業時間帯に応じた曜日や時間帯、窓際で外光が入射する照明環境などに応じて照明負荷の点灯、調光、消灯といった制御内容の基本スケジュールを決め、この基本スケジュールを制御局に登録することにより、制御局が基本スケジュールに従ってグループ毎に照明負荷を制御している。
【０００６】
また、基本スケジュールは、曜日毎のスケジュールである週間スケジュールであり、祝日などは、月日を指定する特定日として特定日スケジュールを入力している。
【特許文献１】特表平１１−５１４８２９号公報（第１５頁、図２）
【発明の開示】
【発明が解決しようとする課題】
【０００７】
しかしながら、従来は、特定日の入力方法が月日の指定のみであるため、例えば月と第何曜日といった特定日の指定はできず、このような場合には、設定者がカレンダーなどを見て何月の第何曜日が何日であるかを確認してから、月日として入力する必要があり、特定日の入力に手間がかかる問題がある。
【０００８】
本発明は、このような点に鑑みなされたもので、異なる入力方法で特定日を容易に入力でき、しかも、異なる入力方法で入力された特定日が重なって競合した場合でも要求度合いの高い特定日を優先できる照明制御装置を提供することを目的とする。
【課題を解決するための手段】
【０００９】
請求項１記載の照明制御装置は、照明負荷の制御内容を指定する基本スケジュール、月日を指定する第１の特定日、月と第何曜日とを指定する第２の特定日、各特定日での照明負荷の制御内容を指定する特定日スケジュールを入力する入力部と；基本スケジュールとこの基本スケジュールより優先させる特定日スケジュールとに従って照明負荷を制御し、第１の特定日と第２の特定日が競合する場合には第１の特定日の特定日スケジュールを優先する制御部と；を具備しているものである。
【００１０】
請求項２記載の照明制御装置は、請求項１記載の照明制御装置において、第１の特定日の特定日スケジュールと第２の特定日を月日に変換した特定日スケジュールとを出力する出力部を具備しているものである。
【００１１】
そして、照明制御装置において、照明負荷は、例えば、ランプや発光ダイオードなどの光源を用いた照明器具などが含まれる。各スケジュールは、例えば、就業日や就業時間帯に応じた曜日や時間帯、窓際で外光が入射する照明環境などによって決められる。基本スケジュールは、曜日毎のスケジュールである週間スケジュールが含まれる。特定日は、祝日や特定の休日、あるいは休日から就業日への変更などが含まれる。入力部は、例えば、設定器やコンピュータが含まれる。制御部は、カレンダー機能を有し、第１の特定日とともに第２の特定日を月日に変換して管理してもよい。また、出力部は、例えば、画面に表示するディスプレイ、用紙にプリントアウトするプリンタなどが含まれ、第１の特定日の特定日スケジュールと第２の特定日を月日に変換した特定日スケジュールとを実行日順に並べて出力してもよい。
【発明の効果】
【００１２】
請求項１記載の照明制御装置によれば、月日を指定する第１の特定日と、月と第何曜日とを指定する第２の特定日との２通りの入力方法を選択して、特定日の特定日スケジュールを容易に入力することができ、しかも、第１の特定日と第２の特定日が競合した場合には、要求度合いの高い月日を直接指定している第１の特定日の特定日スケジュールを優先させることができる。
【００１３】
請求項２記載の照明制御装置によれば、請求項１記載の照明制御装置の効果に加えて、第１の特定日の特定日スケジュールと第２の特定日を月日に変換した特定日スケジュールとを出力するため、第１の特定日とともに月と第何曜日とを指定した第２の特定日を直感的に認識しやすくできる。
【発明を実施するための最良の形態】
【００１４】
以下、本発明の一実施の形態を図面を参照して説明する。
【００１５】
図１は照明制御装置の構成図、図２は照明制御装置の制御局の構成図、図３は照明制御装置の子局の構成図、図４は照明制御装置の照明負荷の構成図、図５は照明制御装置の設定器の構成図、図６は照明制御装置の第１の特定日の特定日スケジュールの入力を説明する説明図、図７は照明制御装置の第２の特定日の特定日スケジュールの入力を説明する説明図、図８は照明制御装置の特定日スケジュールの管理を説明する説明図、図９は照明制御装置の特定日スケジュールの出力例を示す説明図である。
【００１６】
図１に示すように、照明制御装置11は、例えば、オフィスビルや各種施設などの各フロアや各エリアなどの照明エリア毎に設置される複数の照明器具などの照明負荷を遠隔制御したり、照明エリア内の人体を検知する人感スイッチ、照明エリア内の照度を検知する照度スイッチ、照明負荷を手動で切換指令する壁スイッチなどのスイッチを遠隔監視して複数の照明負荷を集中制御するものである。照明負荷は、例えば、ランプや発光ダイオードなどの光源を用いた照明器具である。
【００１７】
照明制御装置11は、１つのコントローラである制御部としての制御局12とゲートウェイ機能を有する複数の子局13とを有し、これら１つの制御局12と複数の子局13とが特定の無線ネットワーク識別番号を用いる無線ネットワーク14を通じて通信可能としている。複数の制御局12を用いる場合には、各制御局12に異なる無線ネットワーク識別番号を用いる無線ネットワーク14を構築する。
【００１８】
各子局13には通信線15を用いた有線ネットワーク16が有線接続され、この有線ネットワーク16に制御局12によって制御される複数の端末17が有線接続されている。この有線ネットワーク16は、例えば、１と０の組み合わせに意味を持たせたパルス信号を、２線の通信線15を通じて送信して通信する通信方式が採られている。各端末17には、予め固有のアドレスが設定されており、照明負荷や各スイッチが接続される。
【００１９】
各子局13は、例えば、無線ネットワーク14のプロトコルと有線ネットワーク16のプロトコルとを相互に変換して、制御局12と各端末17とを通信させる。
【００２０】
無線ネットワーク14には、照明制御状態をモニタしたり設定するコンピュータ18や持ち運び可能な設定器19などが無線通信可能としている。
【００２１】
これらコンピュータ18および設定器19でスケジュールを入力する入力部20が構成されているとともに、コンピュータ18および設定器19が具備しているディスプレイやプリンタなどでスケジュールを出力する出力部21が構成されている。入力部20では、照明負荷の制御内容を指定する基本スケジュール、月日を指定する第１の特定日、月と第何曜日とを指定する第２の特定日、各特定日での照明負荷の制御内容を指定する特定日スケジュールなどを入力可能としている。出力部21では、第１の特定日の特定日スケジュールと第２の特定日を月日に変換した特定日スケジュールとを出力可能としている。基本スケジュールは、曜日毎のスケジュールである週間スケジュールが含まれ、特定日は、祝日や特定の休日、あるいは休日から就業日への変更などが含まれる。
【００２２】
また、制御局12は、上位システム23に接続されている。この上位システム23は、例えば、照明のほか、セキュリティや空調などを統括制御するもので、親機としての主盤24を有し、この主盤24に接続された伝送線25に、複数の子機としての端末26や、子機の１つとして機能する制御局12が接続されている。この上位システム23の通信方式には、例えば、１と０の組み合わせに意味を持たせたパルス信号を、２線の伝送線25を通じて送信して通信する通信方式が採られている。
【００２３】
図２に示すように、制御局12は、無線ネットワーク14を通じて無線通信をする無線部30、無線信号を送受信するアンテナ31、伝送線25を通じて主盤24と有線通信する有線通信部32、照明制御に関するシステムを制御する制御部33を有し、さらに、スケジュールを記憶する図示しない不揮発性のメモリなどの記憶部を有している。制御部33は、第２の特定日を月日に変換し、第１の特定日とともに第２の特定日を一緒のデータベースで管理する。制御部33は、カレンダー機能を有し、基本スケジュールとこの基本スケジュールより優先させる特定日スケジュールとに従って照明負荷を制御し、第１の特定日と第２の特定日が競合する場合には第１の特定日の特定日スケジュールを優先する機能を有している。
【００２４】
図３に示すように、子局13は、無線ネットワーク14を通じて無線通信をする無線部35、無線信号を送受信するアンテナ36、有線ネットワーク16を通じて端末17と有線通信する有線通信部37、例えば、無線ネットワーク14のプロトコルと有線ネットワーク16のプロトコルとを相互に変換して、制御局12と各端末17とを通信させる制御部38を有している。
【００２５】
図４に示すように、端末17は、有線ネットワーク16を通じて子局13と有線通信する有線通信部40、光源としてのランプ41の点灯、消灯や調光点を制御するインバータ部42、制御局12からの指令に従ってインバータ部42を通じてランプ41の点灯状態を制御する照明制御部43を有している。そして、この端末17が照明負荷44として構成されている。
【００２６】
図５に示すように、設定器19は、無線ネットワーク14を通じて制御局12や子局13などと無線通信する無線部46、無線信号を送受信するアンテナ47、入力部20として構成されて設定者が操作するスイッチパネル48、スイッチパネル48の操作に対応して制御局12や子局13に指令を発する制御部49を有し、さらに、表示部として構成される図示しないディスプレイを有している。
【００２７】
次に、本実施の形態の作用を説明する。
【００２８】
まず、特定日スケジュールの設定について説明する。
【００２９】
特定日を月日で指定する場合には、月日を指定する第１の特定日として入力部20から入力できる。第１の特定日入力では、図６に示すように、実行日、パターン番号、実行回数を入力する。実行日は、ＭＭ月、ＤＤ日というように入力する。パターン番号は、予め複数設定されている特定日スケジュールパターンの中から選択して入力する。実行回数は、毎年実行、または一度実行したら翌年は実行しないを入力する。
【００３０】
また、特定日を何月の第何曜日で指定する場合には、月と第何曜日を指定する第２の特定日として入力部20から入力できる。第２の特定日入力では、図７に示すように、特定指定、パターン番号、実行回数を入力する。特定指定は、ＸＸ月、Ｙ週、Ｚ曜日というように入力する。パターン番号は、予め複数設定されている特定日スケジュールパターンの中から選択して入力する。実行回数は、毎年実行、または一度実行したら翌年は実行しないを入力する。
【００３１】
そして、入力部20から入力された特定日スケジュールは制御局12のデータベースに登録される。制御局12では、第１の特定日として入力された特定日スケジュールについて、図８に示すように、実行日、パターン番号、特定日種類の項目で登録して管理する。実行日は、ＹＹＹＹ年、ＭＭ月、ＤＤ日というように登録する。パターン番号は、特定日スケジュールパターン番号を１、２、３というように登録する。特定日種類は、第１の特定日指定は１、第２の特定日指定は２というように登録する。なお、番号は、実行日順の番号を示す。
【００３２】
また、第２の特定日として入力された特定日スケジュールについては、制御局12のカレンダー機能と照合して月と第何曜日から月日に変換し、図８に示す第１の特定日を管理するデータベースに追加して登録する。
【００３３】
データベースに登録された特定日スケジュールを出力部21から出力表示する場合には、図９に示すように、第１の特定日と月日に変換した第２の特定日とを特定日順に並べて一緒に出力表示する。出力表示内容は、データベースに登録されている上述した番号、実行日、パターン番号、特定日種類としている。
【００３４】
このように、月日を指定する第１の特定日と、月と第何曜日とを指定する第２の特定日との２通りの入力方法を選択して、特定日の特定日スケジュールを容易に入力することができる。また、第１の特定日の特定日スケジュールと第２の特定日を月日に変換した特定日スケジュールとを実行日順に出力表示するため、第１の特定日とともに月と第何曜日とを指定した第２の特定日を直感的に認識しやすくできる。
【００３５】
そして、制御局12は、設定されているスケジュールに従って各端末17を制御し、照明負荷44の点灯状態を制御する。このとき、制御局12は、通常、基本スケジュールに従って照明負荷44を制御し、特定日には基本スケジュールより特定日スケジュールを優先して照明負荷44を制御する。
【００３６】
また、第１の特定日と第２の特定日が競合した場合には、第１の特定日の特定日スケジュールを優先させる。これは、第１の特定日は月日を直接指定しているため、第２の特定日よりも要求度合いが高いものと判断することによる。
【００３７】
また、第１の特定日および第２の特定日とも、特定日を毎年実行か１回だけ実行かを指定する実行回数を入力しているため、毎年実行する場合には特定日が過ぎたらデータベースが更新されて自動的に登録され、また、１回だけ実行する場合には特定日が過ぎたらデータベースから自動的に削除される。
【００３８】
このように、第１の特定日および第２の特定日とも、特定日を毎年実行か１回だけ実行かを指定する実行回数を入力しているため、毎年実行する場合にはその都度入力する必要がなく、入力操作を簡略化できる。
【図面の簡単な説明】
【００３９】
【図１】本発明の一実施の形態を示す照明制御装置の構成図である。
【図２】同上照明制御装置の制御局の構成図である。
【図３】同上照明制御装置の子局の構成図である。
【図４】同上照明制御装置の照明負荷の構成図である。
【図５】同上照明制御装置の設定器の構成図である。
【図６】同上照明制御装置の第１の特定日の特定日スケジュールの入力を説明する説明図である。
【図７】同上照明制御装置の第２の特定日の特定日スケジュールの入力を説明する説明図である。
【図８】同上照明制御装置の特定日スケジュールの管理を説明する説明図である。
【図９】同上照明制御装置の特定日スケジュールの出力例を示す説明図である。
【符号の説明】
【００４０】
11    照明制御装置
12    制御部としての制御局
20    入力部
21    出力部
44    照明負荷
【図１】
2007257946.tif 000003
【図２】
2007257946.tif 000004
【図３】
2007257946.tif 000005
【図４】
2007257946.tif 000006
【図５】
2007257946.tif 000007
【図６】
2007257946.tif 000008
【図７】
2007257946.tif 000009
【図８】
2007257946.tif 000010
【図９】
2007257946.tif 000011